(57)【要約】      （修正有）【課題】冬季の除雪作業を容易にし、さらには高齢化による人手不足を補い、雪の最終処理の負担を軽減し経済的にも負担が軽くなる。【解決手段】家庭用その他の電源を利用した消雪機であって、これまでの「どかす」から「溶かす」作用を利用する。熱源１から発する熱量を曲面反射装置２で反射させ前面より熱を雪に照射し雪を溶かす。消雪機の持ち手は軽く丈夫なアルミ製とし、持ち手を取り付ける。【選択図】図１
0003120208.tif 000002
【実用新案登録請求の範囲】
【請求項１】
家庭用電源及びその他の電源で装置の中央部分より発する熱量を曲面反射装置で円筒形の先端に集め、対象とする雪に熱を照射し溶かすことを目的にした消雪機。
【請求項２】
熱を集める曲面反射装置は、曲面部分より離れた位置に設けた熱源より、熱を分散させるための円錐状からなる熱量分散装置で熱量を分散させ、雪に照射する事を目的とした曲面反射装置を有する請求項1の消雪機。
【請求項３】
雪に照射するための操作に必要な熱源より発する熱を集め放射する曲面反射装置を取り付けるアルミポールと、そのアルミポールにはもち手を取り付けた請求項２の消雪機。
【考案の詳細な説明】
【技術分野】
【０００１】
本考案は、家庭用電気やその他の電気を電源とした熱源から発する熱量で雪を溶かす消雪機に関する。
【背景技術】
【０００２】
除雪技術は、道路面に設置した電熱配線で溶かす方法や、地下水利用の消雪装置、屋根に設置する融雪装置などがある。
除雪の方法は、機械による除雪では回転するローターにより対象地の雪を外に吹き飛ばす方法がある。吹き飛ばした雪はそのままにするか、河川等に廃棄することにより処理されている。
なお、本考案発明に関する公知技術として次の特許文献１、及び参考文献２をあげることができる。
【０００３】
【特許文献１】特許公開２００２−２０４９８４
【非特許文献１】遠赤外線放射研究調査報告書（１９９２／４）遠赤外線の利用技術とその応用・例、応用技術出版
【考案の開示】
【考案が解決しようとする課題】
【０００４】
上述のごとく、従来技術による除雪技術では大型の機械による除雪によらなければならず住民は雪が降るたびに人力でスコップによる除雪を行っており、多大な労力を必要とするまた、豪雪地帯は高齢化に伴い人手不足により除雪もままならない。なかには屋根の雪崩れの下敷きとなる痛ましい事故もおきている。女性や子供は除雪作業には不向きであり除雪作業はもっぱら男性に頼っている。
除雪した雪は、河川や水路に流して処理している。又、付近に水路がない場合には水路まで運んで処理するか付近に積み上げるなどしか方法がなく、家の周りには除雪した雪が山のようになり住民の生活に支障をきたしている。
本考案は、このような点に鑑みて成されたものであり、その目的は冬期の除雪作業を容易にすることを目的とし、さらには高齢化による人手不足を補い、雪の最終処理の負担を軽減し経済的にも負担が軽くなるようにすることにある。
【課題を解決するための手段】
【０００５】
上述の目的を達成する本考案の消雪機は、家庭用電源やその他の電源を用い曲面反射装置より離した位置に熱源をもうけ熱量を分散させるために円錐形の熱量分散装置を設置し前面に放射熱を集め曲面反射装置から円筒形の前面に熱を雪に照射し雪を溶かす。
消雪機は、軽く扱いやすいアルミ製のポール、及び反射装置もアルミ製とし持ち手を取り付ける。
熱源には、ハロゲンヒーター、セラミックハロゲンヒーター、ハロゲンランプ、ハロゲンスポットヒータ、スチールヒーターなどの熱量を熱源とする。
消雪機には、熱量を「強」「弱」の切り替え装置を取り付ける。
消雪機の前面には「雪」「水」が入らないように、熱量を通過するガラスを取り付ける。
【考案の効果】
【０００６】
以上説明したように本考案によれば、熱源とする熱量を反射装置により放射熱を前面に集中し雪に照射することができる。照射された雪は熱で溶けて水路や河川に流出する、積み上げるなどの手間や運搬作業が軽減できる。
作業性も、本考案の消雪機は持ち手や熱反射装置もアルミ製、及び熱源の装置も比較的軽い材料でできており、作業の軽減が図れる。又雪の最終処理をしなくても良い。
【考案を実施するための最良の形態】
【０００７】
以下、本考案の実施の形態を図面に基づき説明する。
図１は全体のイメージ図であり、図２は熱源となる部分と持ち手の斜視図、図３は熱源と熱分散装置、曲面反射部の拡大図である。
【実施例１】
【０００８】
熱源の熱を放射する円筒形反射装置は、溶かす雪に照射する面積が広いほうが有利であるが、広くすれば熱量が分散し弱くなり、扱いにくくなるため３０Ｃｍ程度とする。
円錐形熱量分散装置は熱源より発する熱量を一度分散させ前面に集める目的に設ける。
アルミポールは３Ｃｍ程度の径とし持ち手となる２箇所には作業性を考え後ろ側は斜めに、前面は垂直に設ける。
【産業上の利用可能性】
【０００９】
除雪の方法を現在の「どかす」から「溶かす」に方針転換させることにより、現在行っている除雪作業をスムーズに行うことができる。小型化と熱源の問題を解決すれば乗用車にも携帯できる。
【図面の簡単な説明】
【００１０】
【図１】使用時の全体イメージ図である。
【図２】熱源と反射装置及び持ち手の斜視図である。
【図３】熱源と熱分散装置の拡大図である。
【符号の説明】
【００１１】
１熱源                        
２曲面反射装置                
３円錐形熱量分散装置          
４持ち手
５アルミポール
６電源コード
７防雪ガラス
【図１】
0003120208.tif 000003
【図２】
0003120208.tif 000004
【図３】
0003120208.tif 000005
【手続補正書】
【提出日】平成17年5月23日(2005.5.23)
【手続補正１】
【補正対象書類名】実用新案登録請求の範囲
【補正対象項目名】全文
【補正方法】変更
【補正の内容】
【実用新案登録請求の範囲】
【請求項１】
家庭用電源及びその他の電源で装置の中央部分より発する遠赤外線の雪や氷を最も良く融かす吸収波長帯の熱量を対象とする雪に遠赤外線の熱を照射し融かすことを目的にした消雪機。
【請求項２】
熱を集める曲面反射装置は、遠赤外線の熱量を反射させることを目的とした請求項１の消雪機。
【請求項３】
雪に照射するための操作に必要なアルミポールには持ち手を取り付けた請求項２の消雪機。
【手続補正２】
【補正対象書類名】明細書
【補正対象項目名】全文
【補正方法】変更
【補正の内容】
【考案の詳細な説明】
【技術分野】
【０００１】
本考案は、家庭用電気を電源とした熱源から発する遠赤外線の雪や氷を一番良く融かす波長を発生させる熱量で雪や氷を融かす消雪機に関する。
【背景技術】
【０００２】
除雪技術は、道路面に設置した電熱配線で融かす方法や、地下水利用の消雪装置、屋根に設置する融雪装置などがある。
除雪の方法は、機械による除雪では回転するローターにより対象地の雪を外に吹き飛ばす方法がある。吹き飛ばした雪はそのままにするか、河川等に廃棄することにより処理されている。
なお、本考案に関する公知技術として特許文献１、及び参考文献２をあげることができる  
【０００３】
【特許文献１】特許公開２００２−１８８１０９
【非特許文献１】遠赤外線放射研究調査報告書（１９９２／４）遠赤外線の利用技術とその応用・例、応用技術出版
【考案の開示】
【考案が解決しようとする課題】
【０００４】
上述のごとく、従来技術による除雪技術では大型の機械による除雪によらなければならず住民は雪が降るたびに人力でスコップによる除雪を行っており、多大な労力を必要とする
また、豪雪地帯は高齢化に伴い人手不足により除雪もままならない。なかには屋根の雪崩れの下敷きとなる痛ましい事故もおきている。女性や子供は除雪作業には不向きであり除雪作業はもっぱら男性に頼っている。
除雪した雪は、河川や水路に流して処理している。又、付近に水路がない場合には水路まで運んで処理するか付近に積み上げるなどしか方法がなく、家の周りには除雪した雪が山のようになり住民の生活に支障をきたしている。
本考案は、このような点に鑑みて成されたものであり、その目的は冬期の除雪作業を容易にすることを目的とし、さらには高齢化による人で不足を補い、雪の最終処理の負担を軽減し経済的にも負担が軽くなるようにすることにある。
【課題を解決するための手段】
【０００５】
上述の目的を達成する本考案の消雪機は、雪を融かすには遠赤外線が最適であり、家庭用電源やその他の電源を用い曲面反射装置より離した位置に電源をもうけ遠赤外線の熱量を分散させるために円錐形の熱量分散装置を設置し前面に遠赤外線の放射熱を集め曲面反射装置から円筒形の前面に遠赤外線の最も良く融かす吸収波長の２.７ミクロンを発生させる約４００度前後の熱を雪に照射し雪を融かす。消雪機は軽く扱いやすいアルミポール及び反射装置もアルミ製とし、持ち手を取り付ける。
熱源には、ハロゲンヒーター、セラミックハロゲンヒーター、ハロゲンランプ、ハロゲンスポットヒーター、スチールヒーターなどの遠赤外線の熱量を熱源とする。
消雪機の前面にはガラスを取り付ける。
【考案の効果】
【０００６】
以上説明したように本考案によれば、熱源とする遠赤外線の熱量を反射装置により遠赤外線の放射熱を前面に集中し雪に照射することができる。照射された雪は遠赤外線の熱で融けて水路や河川に流出する。積み上げるなどの手間や運搬作業が軽減できる。
作業性も、本考案の消雪機は持ち手や熱反射装置もアルミ製、及び遠赤外線の熱源の装置も比較的軽い材料でできており作業の軽減が図れる。又、雪の最終処理をしなくても良い
【０００７】
以下、本考案の実施の形態を図面に基づき説明する。
図１は全体のイメージ図であり、図２は熱源となる部分と持ち手の斜視図。図３は曲面反射部の断面図である。
【実施例１】
【０００８】
遠赤外線の熱を放射する円筒形反射装置は、融かす雪に照射する面積が広いほうが有利であるが広くすれば扱いにくくなるため３０Ｃｍ程度とする。
円錐形熱量分散装置は熱源より発する遠赤外線の熱量を一度分散させ前面に集める目的に設ける。
アルミポールは３Ｃｍ程度の径とし、持ち手となる２箇所には作業性を考え後ろ側は斜めに前面側は垂直にもうける。
【産業上の利用可能性】
【０００９】
除雪の方法を現在の「どかす」から「融かす」に方針転換させることにより、現在行っている除雪作業をスムーズに行うことができる。小型化と熱源の問題を解決すれば乗用車にも携帯できる。
【図面の簡単な説明】
【００１０】
【図１】使用時の全体イメージ図瀬ある。
【図２】熱源と反射装置及び持ち手の斜視図である。
【図３】熱源と熱分散装置の断面図である。
【符号の説明】
【００１１】
１熱源
２曲面反射装置
３円錐形熱量分散装置
４持ち手
５アルミポール
６電源コード
７防雪ガラス
【手続補正書】
【提出日】平成17年7月15日(2005.7.15)
【手続補正１】
【補正対象書類名】実用新案登録請求の範囲
【補正対象項目名】全文
【補正方法】変更
【補正の内容】
【実用新案登録請求の範囲】
【請求項１】
家庭用電源及びその他の電源を装置の中央部分に設け、発熱する熱源を曲面反射装置で円筒形の先端に集め、対象とする雪に熱を照射し、融かすことを特徴とする消雪機。
【請求項２】
熱を集める曲面反射装置は、曲面部分より離れた位置に設けた熱源より、熱を分散させるための円錐状からなる熱量分散装置で熱量を分散させ、雪に照射し融かすことを特徴とする曲面反射装置を有する請求項１の消雪機。
【請求項３】
雪を照射するための操作に必要な、曲面反射装置を取り付けたアルミポールとそのアルミポールには持ち手を取り付ける事を特徴とする請求項２の消雪機。
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
【実用新案登録請求の範囲】
【請求項１】
家庭用電源及びその他の電源を装置の中央部分に設け、発熱する熱源からの熱量を曲面反射装置で円筒形の先端に集め、対象とする雪に熱を照射し、融かすことを特徴とする消雪機。
【請求項２】
熱を集める曲面反射装置は、曲面部分より離れた位置に設けた熱源より、熱を分散させるための円錐状からなる熱量分散装置で熱量を分散させ、雪に照射し融かすことを特徴とする曲面反射装置を有する請求項１の消雪機。
【請求項３】
雪に照射するための操作に必要な、曲面反射装置を取り付けたアルミポールとそのアルミポールには持ち手を取り付ける事を特徴とする請求項２の消雪機。